(57)【要約】【課題】  複数の穴を有するクルーンを備えていて、各穴に入球する確率を理論的な計算にて算出でき、また、各穴に入球する確率を個別に調整することも可能となる弾球遊技機の入賞装置を提供すること。【解決手段】  入賞装置１において、特別入賞口１１に入球した場合、遊技球は、三穴クルーン３３上を旋回して、常に三穴クルーン３３の第１穴３５へと誘導されるように構成してある。一方、通常入賞口１２に入球した場合、遊技球は、三穴クルーン３３の第２穴３６または第３穴３７の真上から落下して、第２穴３６または第３穴３７内に入るように構成してある。【選択図】  図１
2005204825.tif 000002
【特許請求の範囲】
【請求項１】
皿状の凹面を有し、該凹面には複数の穴が形成され、前記凹面上に載った遊技球を該凹面上でいくらか旋回させてから前記複数の穴のいずれかに転落させるクルーン部材を備えた弾球遊技機の入賞装置であって、
少なくとも１つは特別入賞口、該特別入賞口以外は通常入賞口とされる複数の入賞口と、
前記特別入賞口に入った遊技球を、前記クルーン部材の前記凹面上へと案内することにより、該遊技球を前記クルーン部材の前記凹面上で旋回させる第１案内通路と、
前記通常入賞口に入った遊技球を、前記クルーン部材の上方から前記特定の穴以外の穴に向かって落下させることにより、該遊技球を前記クルーン部材の前記凹面上で旋回させることなく前記特定の穴以外の穴を通過させる第２案内通路とを備えており、
前記クルーン部材には、該クルーン部材の上面側で旋回する遊技球を前記特定の穴へと誘導する誘導部が形成されている
ことを特徴とする弾球遊技機の入賞装置。
【請求項２】
前記誘導部は、遊技球の直径より狭い隙間の上に遊技球が載ると、該遊技球を所定の誘導経路に沿って前記特定の穴へと誘導する溝または穴であり、前記隙間の間隔が、遊技球の誘導方向に沿って前記特定の穴に近づくほど拡大する形状となっていて、前記遊技球が自重にて前記隙間の間隔が拡大する方向へ転動する結果、前記特定の穴に転落する構造とされている
ことを特徴とする請求項１に記載の弾球遊技機の入賞装置。
【請求項３】
皿状の凹面を有し、該凹面には第１〜第３の穴が形成され、さらに、前記凹面上に載った遊技球を前記第１の穴へと誘導する誘導部が形成され、前記凹面上に載った遊技球を該凹面上でいくらか旋回させるとともに、旋回する遊技球を前記誘導部によって前記第１の穴へと誘導し、該遊技球を前記第１の穴に転落させる三穴クルーン部材と、
皿状の凹面を有し、該凹面には１つの穴が形成され、前記凹面上に載った遊技球を該凹面上でいくらか旋回させてから前記１つの穴に転落させる一穴クルーン部材と、
中央の１つは特別入賞口、該特別入賞口の両脇はそれぞれ通常入賞口とされる３つの入賞口と、
前記特別入賞口に入った遊技球を、前記三穴クルーン部材の前記凹面上へと案内することにより、該遊技球を前記三穴クルーン部材の前記凹面上で旋回させる第１案内通路と、
前記通常入賞口に入った遊技球を、前記一穴クルーン部材の前記凹面上へと案内することにより、該遊技球を前記一穴クルーン部材の前記凹面上で旋回させ、さらに、前記一穴クルーン部材の穴に落下した遊技球を、前記三穴クルーン部材の上方から前記第２または第３の穴に向かって落下させることにより、該遊技球を前記三穴クルーン部材の前記凹面上で旋回させることなく前記第２または第３の穴を通過させる第２案内通路と
を備えたことを特徴とする弾球遊技機の入賞装置。
【発明の詳細な説明】
【技術分野】
【０００１】
本発明は、弾球遊技機の入賞装置に関する。
【背景技術】
【０００２】
パチンコ機に代表される弾球遊技機が備える入賞装置の一つとして、クルーンと呼ばれる機構を備えた入賞装置が知られている（例えば、特許文献１の図６参照。）
このクルーンは、皿状の凹面を有し、その凹面に１つ〜３つ程度の穴が形成された部材であり、クルーンの凹面に遊技球が載ると、その遊技球が旋回しながら凹面上でしばらく滞留してから穴に転落するようになっている。
【０００３】
また、この種のクルーンのうち、複数の穴を有するものは、入賞装置の内部において、遊技球を特定領域（通称Ｖゾーンなどと呼ばれる）とそれ以外の領域に振り分けるために利用されている。このような入賞装置を備える弾球遊技機において、入賞装置内に入った遊技球（以下、セーフ球ともいう）がクルーンに載ると、クルーンによって遊技球が特定領域または特定領域以外の領域のいずれかに振り分けられる。そして、遊技球が特定領域に振り分けられたことをセンサで検出すると、その遊技球は特別セーフ球と判定され、以後、弾球遊技機は、遊技客にとって有利となるような特別な動作（以下、大当たり動作ともいう）を行うようになる。
【特許文献１】特開平６−７５４０号公報
【発明の開示】
【発明が解決しようとする課題】
【０００４】
しかしながら、上述の如き複数の穴を有するクルーンにより、遊技球を特定領域に振り分ける場合、特定領域に振り分けられる確率を理論的な計算によって算出するのは困難であるため、特定領域に振り分けられる確率が遊技機の規格上適正になっているかどうかを見極めることができないという欠点があった。
【０００５】
また、特定領域に振り分けられる確率が過大になっていた場合、入賞装置への入球を妨げる位置にある遊技釘を調整して、入賞装置への入賞確率そのものを低下させることにより、大当たり動作の発生確率を抑制することは不可能ではない。
【０００６】
しかし、この場合は、特定領域以外の領域に振り分けられる遊技球まで減ってしまうことになるため、遊技者にとっては入賞への期待感が薄れてしまうという問題があった。
本発明は、上記問題を解決するためになされたものであり、その目的は、複数の穴を有するクルーンを備えていて、各穴に入球する確率を理論的な計算にて算出できる弾球遊技機の入賞装置を提供することにある。また、本発明の別な目的は、複数の穴を有するクルーンを備えていて、各穴に入球する確率を個別に調整することも可能となる弾球遊技機の入賞装置を提供することにある。
【課題を解決するための手段】
【０００７】
以下、本発明の特徴的構成について詳述する。
本発明の弾球遊技機の入賞装置は、
皿状の凹面を有し、該凹面には複数の穴が形成され、前記凹面上に載った遊技球を該凹面上でいくらか旋回させてから前記複数の穴のいずれかに転落させるクルーン部材を備えた弾球遊技機の入賞装置であって、
少なくとも１つは特別入賞口、該特別入賞口以外は通常入賞口とされる複数の入賞口と、
前記特別入賞口に入った遊技球を、前記クルーン部材の前記凹面上へと案内することにより、該遊技球を前記クルーン部材の前記凹面上で旋回させる第１案内通路と、
前記通常入賞口に入った遊技球を、前記クルーン部材の上方から前記特定の穴以外の穴に向かって落下させることにより、該遊技球を前記クルーン部材の前記凹面上で旋回させることなく前記特定の穴以外の穴を通過させる第２案内通路とを備えており、
前記クルーン部材には、該クルーン部材の上面側で旋回する遊技球を前記特定の穴へと誘導する誘導部が形成されている
ことを特徴とする。
【０００８】
この弾球遊技機の入賞装置において、前記誘導部としては、クルーン部材の上面側で旋回する遊技球を前記特定の穴へと誘導できる構造を任意に採用できるが、一例を挙げれば、例えば、前記誘導部は、遊技球の直径より狭い隙間の上に遊技球が載ると、該遊技球を所定の誘導経路に沿って前記特定の穴へと誘導する溝または穴であり、前記隙間の間隔が、遊技球の誘導方向に沿って前記特定の穴に近づくほど拡大する形状となっていて、前記遊技球が自重にて前記隙間の間隔が拡大する方向へ転動する結果、前記特定の穴に転落する構造とされていると望ましい。
【０００９】
以上のように構成された弾球遊技機の入賞装置においては、遊技球が特別入賞口に入った場合は、その遊技球が第１案内通路によってクルーン部材の凹面上へと案内され、第１案内通路から放出された遊技球は、クルーン部材の凹面上で旋回することになる。しかも、クルーン部材には、誘導部が形成されているので、クルーン部材の上面側で旋回する遊技球は特定の穴へと誘導される。一方、遊技球が通常入賞口に入った場合は、その遊技球が第２案内通路によってクルーン部材の上方へと案内され、第２案内通路から放出された遊技球は、クルーン部材の上方から前記特定の穴以外の穴に向かって落下する。その結果、遊技球はクルーン部材の凹面上で旋回することなく前記特定の穴以外の穴を通過する。
【００１０】
つまり、特別入賞口に入球した場合、遊技球は常にクルーン部材の特定の穴へと誘導される一方、通常入賞口に入球した場合、遊技球は常にクルーン部材の特定の穴以外の穴へと誘導される。
【００１１】
したがって、この入賞装置によれば、クルーン部材の各穴へ入球する確率は、計算上は入賞口の開口面積に準じた確率となるので、クルーン部材の特定の穴に入球すると特定領域に振り分けられる構成とした場合でも、特定領域に振り分けられる確率が適正になっているかどうかは、入賞口の開口面積に基づいて客観的に見極めることができる。
【００１２】
また、遊技場での営業上、特定領域に振り分けられる確率が過大または過小になっていると判断した場合、遊技釘を調整することで通常入賞口への入賞確率に悪影響を与えることなく、特別入賞口への入賞確率を増減調整することもできる。よって、特別入賞口への入賞確率を低下させるために、通常入賞口への入賞確率まで低下させてしまうことはなく、遊技者にとって入賞への期待感が薄れてしまうことがない。
【００１３】
また、本発明の弾球遊技機の入賞装置は、
皿状の凹面を有し、該凹面には第１〜第３の穴が形成され、さらに、前記凹面上に載った遊技球を前記第１の穴へと誘導する誘導部が形成され、前記凹面上に載った遊技球を該凹面上でいくらか旋回させるとともに、旋回する遊技球を前記誘導部によって前記第１の穴へと誘導し、該遊技球を前記第１の穴に転落させる三穴クルーン部材と、
皿状の凹面を有し、該凹面には１つの穴が形成され、前記凹面上に載った遊技球を該凹面上でいくらか旋回させてから前記１つの穴に転落させる一穴クルーン部材と、
中央の１つは特別入賞口、該特別入賞口の両脇はそれぞれ通常入賞口とされる３つの入賞口と、
前記特別入賞口に入った遊技球を、前記三穴クルーン部材の前記凹面上へと案内することにより、該遊技球を前記三穴クルーン部材の前記凹面上で旋回させる第１案内通路と、
前記通常入賞口に入った遊技球を、前記一穴クルーン部材の前記凹面上へと案内することにより、該遊技球を前記一穴クルーン部材の前記凹面上で旋回させ、さらに、前記一穴クルーン部材の穴に落下した遊技球を、前記三穴クルーン部材の上方から前記第２または第３の穴に向かって落下させることにより、該遊技球を前記三穴クルーン部材の前記凹面上で旋回させることなく前記第２または第３の穴を通過させる第２案内通路と
を備えたことを特徴とするものであってもよい。
【００１４】
以上のように構成された弾球遊技機の入賞装置においては、遊技球が特別入賞口に入った場合は、その遊技球が第１案内通路によって三穴クルーン部材の凹面上へと案内され、第１案内通路から放出された遊技球は、三穴クルーン部材の凹面上で旋回することになる。しかも、三穴クルーン部材には、誘導部が形成されているので、三穴クルーン部材の上面側で旋回する遊技球は第１の穴へと誘導される。一方、遊技球が通常入賞口に入った場合は、その遊技球が第２案内通路によって三穴クルーン部材の上方へと案内され、第２案内通路から放出された遊技球は、三穴クルーン部材の上方から第２または第３の穴に向かって落下する。その結果、遊技球は三穴クルーン部材の凹面上で旋回することなく前記第２または第３の穴を通過する。
【００１５】
つまり、特別入賞口に入球した場合、遊技球は常に三穴クルーン部材の第１の穴へと誘導される一方、通常入賞口に入球した場合、遊技球は常に三穴クルーン部材の第２または第３のへと誘導される。
【００１６】
したがって、この入賞装置によれば、三穴クルーン部材の各穴へ入球する確率は、計算上は入賞口の開口面積に準じた確率となるので、三穴クルーン部材の第１の穴に入球すると特定領域に振り分けられる構成とした場合でも、特定領域に振り分けられる確率が適正になっているかどうかは、入賞口の開口面積に基づいて客観的に見極めることができる。
【００１７】
また、遊技場での営業上、特定領域に振り分けられる確率が過大または過小になっていると判断した場合、遊技釘を調整することで通常入賞口への入賞確率に悪影響を与えることなく、特別入賞口への入賞確率を増減調整することもできる。よって、特別入賞口への入賞確率を低下させるために、通常入賞口への入賞確率まで低下させてしまうことはなく、遊技者にとって入賞への期待感が薄れてしまうことがない。
【００１８】
さらに、遊技球を三穴クルーン部材の上方から第２または第３の穴に向かって落下させた場合、遊技球は三穴クルーン部材の凹面上で旋回しないが、第２案内通路の途中には、一穴クルーン部材を設けてあるので、入賞装置に遊技球が入賞した場合、一穴クルーン部材または三穴クルーン部材のいずれか一方において、必ず遊技球が旋回することになる。したがって、遊技球が三穴クルーン部材の凹面上で旋回しない経路を通る場合でも、遊技球の動きが単調にならず、興趣に富んだ入賞装置とすることができる。
【発明の効果】
【００１９】
以上説明した通り、本発明によれば、複数の穴を有するクルーンを備えていて、各穴に入球する確率を理論的な計算にて算出できる弾球遊技機の入賞装置を提供することができる。
【００２０】
また、本発明によれば、複数の穴を有するクルーンを備えていて、各穴に入球する確率を個別に調整することも可能となる弾球遊技機の入賞装置を提供することができる。
【発明を実施するための最良の形態】
【００２１】
次に、本発明の実施形態について一例を挙げて説明する。
図１は、本発明の実施形態として例示する入賞装置１の正面図である。
この入賞装置１は、上部に３つの入賞口を備えており、中央の１つが特別入賞口１１、特別入賞口１１の両脇がそれぞれ通常入賞口１２，１３とされている。また、入賞装置１の正面には、上開口部１５および下開口部１６が形成され、これら２つの開口部を介して、遊技者側から入賞装置１の内部が見えるようになっている。
【００２２】
上記特別入賞口１１および通常入賞口１２，１３の内側には、図２に示すように、通過センサ２１，２２，２３が配設されている。この通過センサ２１，２２，２３は、金属体の通過を非接触で検出可能な素子であり、この種の入賞装置において多用されている周知のものである。
【００２３】
以下、入賞装置１の内部構造について説明するが、まず、上記特別入賞口１１に入った遊技球が通る経路に沿って各部の説明を行う。
特別入賞口１１に入って通過センサ２１を通過した遊技球が落下する先には、中央通路２５が設けられている。この中央通路２５は、図３に示すように、入賞装置１の正面側から背面側に向かって延びる樋状の部材によって形成され、前端が通過センサ２１の直下にあって、前端から後端に向かって下り勾配となる傾斜が与えられている。通過センサ２１を通過して落下してきた遊技球は、中央通路２５の前端に載り、自重で中央通路２５上を後端側へと転がることになる。
【００２４】
遊技球が中央通路２５の後端まで転がると、遊技球は中央通路２５の後端から垂直通路２７へと転落する。垂直通路２７の下端側には、図４に示すように、背面側通路２９が設けられている。この背面側通路２９は、入賞装置１の正面側から見て左端が垂直通路２７の下端付近、右端が左端よりも入賞装置１の右側面側にあり、左端から右端に向かって下り勾配となる傾斜が与えられている。垂直通路２７を落下してきた遊技球は、背面側通路２９の左端に載り、自重で背面側通路２９上を右端側へと転がることになる。
【００２５】
遊技球が背面側通路２９の右端まで転がると、遊技球は背面側通路２９から転落して旋回通路３１の上に載る。旋回通路３１は、図３に示すように、入賞装置１の側面側から見ると入賞装置１の背面側から正面側に向かって下り勾配となる傾斜が与えられた通路であり、且つ、図５に示すように、平面視すると円弧を描くように曲がっている通路である。旋回通路３１は、後から詳述する三穴クルーン３３の外周に滑らかに連続しており、旋回通路３１の上に載った遊技球は、自重で旋回通路３１上を転がって三穴クルーン３３上に放出される。
【００２６】
三穴クルーン３３は、皿状の凹面を有し、その凹面には第１穴３５、第２穴３６、第３穴３７が形成されている。第１穴３５は、円穴部３５ａと切欠部３５ｂとが連続してなる異形穴とされ、また、第２穴３６および第３穴３７は、円穴とされている。また、この三穴クルーン３３の凹面は、平面視円形の領域である中央部４１と、この中央部４１の外周に形成された平面視円環状の領域である外周部４３とを有し、中央部４１と外周部４３との境界は、突条４５によって仕切られている。さらに、外周部４３には突起４７が設けられている。
【００２７】
旋回通路３１上を転がって三穴クルーン３３上に放出された遊技球は、三穴クルーン３３上の外周部４３を転がる。外周部４３は、外周側から内周側に向かって下り勾配となるバンクになっており、旋回通路３１から転がり込んだ遊技球は外周部４３に沿って旋回する。外周部４３はバンクになっているため、遊技球の速度が低下するほど遊技球はより内周側へと移動するが、突条４５よりも内周側へ移動することはないので、突条４５が設けられている範囲では、遊技球は外周部４３内にとどまり、中央部４１へ移動することはない。
【００２８】
突起４７は、外周部４３上を旋回してくる遊技球が到来すると、遊技球の中心よりも外周側において遊技球と接触する位置にある。そのため、遊技球が突起４７に接触すると、この接触に伴って遊技球の進行方向は僅かに内周側に向けられる。この遊技球の進行方向には、第１穴３５の切欠部３５ｂが形成されている。
【００２９】
切欠部３５ｂは、遊技球の直径より狭い隙間をなし、この隙間の上に遊技球が載ることになる。切欠部３５ｂのなす隙間の間隔は、遊技球の誘導方向に沿って第１穴３５の円穴部３５ａに近づくほど拡大する形状となっているため、遊技球は、外周部４３を旋回してきた際の慣性力に加え、重力の作用でも隙間の間隔が拡大する方向へ転動する。切欠部３５ｂが形成された範囲は、ちょうど突条４５が途切れており、遊技球は、切欠部３５ｂに載って突条４５の途切れた部分から中央部４１へと転がり込む。そして、最終的に、遊技球は第１穴３５の円穴部３５ａに転落することになる。
【００３０】
上述の通り、切欠部３５ｂのなす隙間は円穴部３５ａに近づくほど拡大するため、遊技球は円穴部３５ａに近づくほど切欠部３５ｂ内により深く嵌り込み、円穴部３５ａに到達する時点において遊技球の一部は第１穴３５の面位置よりも深い位置まで嵌り込んでいる。そのため、遊技球は、円穴部３５ａの周縁部に対して内周面側から衝突するかたちで円穴部３５ａに到達することになり、円穴部３５ａを乗り越えることなく、確実に円穴部３５ａに転落する。
【００３１】
第１穴３５の円穴部３５ａに転落した遊技球が落下する先には、図２〜図４に示すように、通過センサ５３が配設されている。この通過センサ５３は、先に説明した通過センサ２１〜２３と同様、金属体の通過を非接触で検出可能な素子で、遊技機側では、この通過センサ５３を通過したことをもって、遊技球が特定領域を通過したとの判定が行われることになる。なお、通過センサ５３を通過した遊技球は、通出路５５へと落下して入賞装置１の外部へと排出され、最終的には、遊技機外へと排出されることになる。
【００３２】
次に、上記通常入賞口１２，１３に入った遊技球が通る経路に沿って各部の説明を行う。なお、通常入賞口１２，１３に入った遊技球が通る経路は、２つの通常入賞口１２，１３のそれぞれに対応する経路が左右対称に構成されているので、以降、対称な関係にある部分については同じ符号を付すことにして説明を続ける。
【００３３】
通常入賞口１２，１３に入って通過センサ２２，２３を通過した遊技球が落下する先には、図２および図３に示すように、上段部５７と下段部５９を有する二段構造の通路形成体があり、上段部５７には、図６（ａ）〜同図（ｃ）に示すように、一穴クルーン６１，６１が形成されている。この一穴クルーン６１は、皿状の凹面を有し、その凹面には１つの円穴６３が形成されている。一穴クルーン６１の凹面上に遊技球が載ると、遊技球は一穴クルーン６１の凹面上でいくらか旋回してから円穴６３に転落する。
【００３４】
円穴６３の下方には、案内爪６５が設けられている。案内爪６５は、上段部５７の下面側に突設されており、円穴６３に転落した遊技球は、案内爪６５に沿って下段部５９へと転がり込む。
【００３５】
下段部５９には、異形穴６７，６７が形成されている。異形穴６７は、円穴部６７ａと案内穴部６７ｂと爪逃がし穴部６７ｃとが連続してなる穴である。また、円穴部６７ａの近傍において、下段部５９の上面側には壁７３が突設されるとともに、案内穴部６７ｂおよび爪逃がし穴部６７ｃの近傍において、上段部５７の下面側にも壁７５，７５，７７，７７が突設され、これらの壁７３〜７７によって、円穴６３から円穴部６７ａに至る経路の途中で遊技球が予期しない方向へ脱落しないようにされている。
【００３６】
上述の案内爪６５は、下端側が爪逃がし穴部６７ｃの内側に入り込むような位置にあり、案内爪６５に沿って転がり落ちてくる遊技球は、滑らかに案内穴部６７ｂ上へと転がり込む。案内穴部６７ｂのなす隙間の間隔は、遊技球の誘導方向に沿って円穴部６７ａに近づくほど拡大する形状となっているため、遊技球は、案内爪６５に沿って転がり落ちてきた際の慣性力に加え、重力の作用でも隙間の間隔が拡大する方向へ転動する。こうして、案内穴部６７ｂ上を転がった遊技球は、円穴部６７ａに転落する。
【００３７】
下段部５９に２つある円穴部６７ａ，６７ａは、ちょうど三穴クルーン３３の第２穴３６、第３穴３７の真上にあり、円穴部６７ａに転落した遊技球は真っ直ぐに落下して、三穴クルーン３３の第２穴３６、第３穴３７に入る。なお、三穴クルーン３３の第２穴３６、第３穴３７に入った遊技球は、入賞装置１の外部へと排出され、最終的には、遊技機外へと排出されることになる。
【００３８】
以上説明したように、この弾球遊技機の入賞装置１において、遊技球が特別入賞口１１に入った場合は、その遊技球が、中央通路２５、垂直通路２７、背面側通路２９、および旋回通路３１（これらが本発明でいう第１案内通路に相当）によって三穴クルーン３３（本発明でいうクルーン部材ないし三穴クルーン部材に相当）の凹面上へと案内され、通路から放出された遊技球は、三穴クルーン３３の凹面上で旋回することになる。しかも、三穴クルーン３３には、切欠部３５ｂ（本発明でいう誘導部に相当）が形成されているので、三穴クルーン３３の上面側で旋回する遊技球は第１穴３５（本発明でいう特定の穴）へと誘導される。また、突条４５および突起４７（これらも本発明でいう誘導部に相当）も、三穴クルーン３３の上面側で旋回する遊技球を第１穴３５へと誘導することになる。
【００３９】
一方、遊技球が通常入賞口１２，１３に入った場合は、その遊技球が上段部５７と下段部５９を有する二段構造の通路形成体（本発明でいう第２案内通路に相当）によって三穴クルーン３３の上方へと案内され、この通路形成体から放出された遊技球は、三穴クルーン３３の上方から第２穴３６または第３穴３７（本発明でいう特定の穴以外の穴）に向かって落下する。その結果、遊技球は三穴クルーン３３の凹面上で旋回することなく第２穴３６または第３穴３７を通過する。
【００４０】
つまり、特別入賞口１１に入球した場合、遊技球は常に三穴クルーン３３の第１穴３５へと誘導される一方、通常入賞口１２，１３に入球した場合、遊技球は常に三穴クルーン３３の第２穴３６または第３穴３７へと誘導される。
【００４１】
したがって、この入賞装置１によれば、三穴クルーン３３の各穴へ入球する確率は、計算上は入賞口１１〜１３の開口面積に準じた確率となるので、特定領域に振り分けられる確率が適正になっているかどうかを、入賞口の開口面積に基づいて客観的に見極めることができる。なお、本実施形態の場合、特別入賞口１１および通常入賞口１２，１３は、すべて同じ開口面積となっているので、特定領域に振り分けられる確率は、計算上３分の１となる。
【００４２】
また、遊技場での営業上、特定領域に振り分けられる確率が過大または過小になっていると判断した場合、遊技釘を調整することで通常入賞口１２，１３への入賞確率に悪影響を与えることなく、特別入賞口１１への入賞確率を増減調整することもできる。よって、特別入賞口１１への入賞確率を低下させるために、通常入賞口１２，１３への入賞確率まで低下させてしまうことはなく、遊技者にとって入賞への期待感が薄れてしまうことがない。
【００４３】
さらに、遊技球を三穴クルーン３３の上方から第２穴３６または第３穴３７に向かって落下させた場合、遊技球は三穴クルーン３３の凹面上では旋回しないが、二段構造の通路形成体の途中には、一穴クルーン６１を設けてあるので、入賞装置１に遊技球が入賞した場合、一穴クルーン６１または三穴クルーン３３のいずれか一方において、必ず遊技球が旋回することになる。したがって、遊技球が三穴クルーン３３の凹面上で旋回しない経路を通る場合でも、遊技球の動きが単調にならず、興趣に富んだ入賞装置１となる。
【００４４】
以上、本発明の実施形態について説明したが、本発明は上記の具体的な一実施形態に限定されず、この他にも種々の形態で実施することができる。
例えば、上記実施形態においては、１つの三穴クルーン３３と２つの一穴クルーン６１とを設けてあったが、本発明の主たる目的は、三穴クルーン３３の各穴への入球確率を明確化するとともに、各穴への入球確率を個別に調整することを容易に実施できるようにすることにあるので、一穴クルーン６１を設けるか否かは任意である。
【００４５】
また、上記実施形態では、特別入賞口１１および通常入賞口１２，１３から三穴クルーン３３に至る遊技球の通路について、特定の具体的構造を例示したが、この通路の具体的な構造についても任意に設計できる。
【００４６】
なお、本発明の入賞装置は、種々の弾球遊技機に装着可能であり、代表的な弾球遊技機であるパチンコ機はもちろんのこと、アレンジボールやその他の弾球遊技機に装着しても構わない。
【図面の簡単な説明】
【００４７】
【図１】本発明の実施形態として説明した弾球遊技機の入賞装置の正面図。
【図２】同入賞装置の内部に配置された主要な構造物を示す正面図。
【図３】同入賞装置の内部に配置された主要な構造物を示す左側面図。
【図４】垂直通路および背面側通路を示すための正面図。
【図５】三穴クルーンを示すための平面図。
【図６】（ａ）は通路形成体の上段部および下段部の位置関係を示すための平面図、（ｂ）は上段部を示す平面図、（ｃ）は上段部のＡ−Ａ線断面図、（ｄ）は下段部を示す平面図。
【符号の説明】
【００４８】
１・・・入賞装置、１１・・・特別入賞口、１２，１３・・・通常入賞口、１５・・・上開口部、１６・・・下開口部、２１，２２，２３，５３・・・通過センサ、２５・・・中央通路、２７・・・垂直通路、２９・・・背面側通路、３１・・・旋回通路、３３・・・三穴クルーン、３５・・・第１穴、３５ａ・・・円穴部、３５ｂ・・・切欠部、３６・・・第２穴、３７・・・第３穴、４１・・・中央部、４３・・・外周部、４５・・・突条、４７・・・突起、５５・・・通出路、５７・・・上段部、５９・・・下段部、６１・・・一穴クルーン、６３・・・円穴、６５・・・案内爪、６７・・・異形穴、６７ａ・・・円穴部、６７ｂ・・・案内穴部、６７ｃ・・・爪逃がし穴部、７３，７５・・・壁。
【図１】
2005204825.tif 000003
【図２】
2005204825.tif 000004
【図３】
2005204825.tif 000005
【図４】
2005204825.tif 000006
【図５】
2005204825.tif 000007
【図６】
2005204825.tif 000008